(57)【要約】【課題】  従来にない変化に富んだ機構で、特に大当りの権利の保留ラウンド数を変動表示することのできる新規なパチンコ機の図柄表示装置を提供する。【解決手段】  先端面２２に数字などの複数の図柄が描かれた円筒カム２１と、この円筒カム２１がプランジャ３２の先端に装着されたソレノイド３１と、円筒カム２１のカム曲線２３に係合する接触子７１とにより図柄表示装置を構成して、プランジャ３２をソレノイド３１に対して吸引、突出させて円筒カム２１を前後に移動することにより、接触子７１の抵抗により円筒カム２１をカム曲線に従って回転させて、大当たりの保留ラウンド数を変動表示する。【選択図】    図３
2005021634.tif 000002
【特許請求の範囲】
【請求項１】
先端面に複数の図柄が描かれ且つ外周面にカム曲線が形成された円筒カムと、この円筒カムがプランジャの先端に装着されたソレノイドと、前記カム曲線に係合する接触子とからなり、プランジャをソレノイドに対して吸引、突出させて円筒カムを前後に移動することにより、接触子の抵抗により円筒カムをカム曲線に従って回転させて、図柄を変動表示するようにしたことを特徴とするパチンコ機の図柄表示装置。
【請求項２】
カム曲線を複数の山部と谷部とからなるものとし、任意の谷部に接触子を停止させて表示図柄を選択できるようにした請求項１に記載のパチンコ機の図柄表示装置。
【請求項３】
図柄を数字により描いて大当たりの保留ラウンド数を表示するようにした請求項２に記載のパチンコ機の図柄表示装置。
【発明の詳細な説明】
【技術分野】
【０００１】
本発明は、パチンコ機の遊技盤において大当たりの保留ラウンド数等を表示したりする新規な図柄表示装置に関するものである。
【背景技術】
【０００２】
権利物タイプのパチンコ機として、例えば特開２００２‐２１９２２５号公報には本図７に示すように、遊技盤のほぼ中央の可変表示装置１の下方に図柄始動入賞口２を設け、この図柄始動入賞口２の下方に特定入賞口３を設け、さらに、可変表示装置１の隣には始動入賞口（第３種始動入賞口）４を有する始動入賞口装置４０を設け、始動入賞口装置４０の下方には大入賞口５を備えた大入賞口装置５０を設けたものが知られている。このような権利物タイプのパチンコ機においては、図柄始動入賞口２に玉が入賞すると可変表示装置１の表示状態が変動開始されるとともに、一定時間後に停止され、停止した可変表示装置１の表示結果が予め設定された表示に揃うと特定入賞口３が開放される。そして、特定入賞口３に玉が入賞することにより大当たりの権利が発生する。この権利発生時において始動入賞口４に玉が入賞すると大当たりが確定して大入賞口５は開放されて所定時間又は所定の個数の玉を受入れることができる。大当たり確定状態の期間中に始動入賞口４に玉が入賞した場合には次のラウンドの大当りを獲得することができる。そして、始動入賞口４への入賞によって大入賞口５が開放されることを一回として、最大で１６ラウンドまでの繰り返しが可能である。
【０００３】
獲得されて保留状態にあるラウンド数は、従来、パチンコ機の遊技盤上に何らかの手段で表示されていた。例えば、ＣＲＴやＬＣＤディスプレイを有する可変表示装置１の場合、そのＣＲＴやＬＣＤディスプレイの隅に７セグメント表示方式の数字表示器６を配して保留ラウンド数を数値表示したり、可変表示装置１のディスプレイ上に表示できない場合には、数字表示器６を遊技盤に特別に設けて保留ラウンド数を表示していた。しかし、このような方式のものは単に数値が変わるのみで図柄の変化がなく面白みに欠けるものであった。
【０００４】
又、特開平２００３‐９３７１１号公報には、保留表示ランプを４個可変表示装置１の上に配列して４回までの保留ラウンドを点燈表示できるようにしたものが開示されているが、この保留表示ランプでは５回以上の保留ラウンドを表示することはできず、したがって、遊技の興趣を大幅に削ぐものであった。
【特許文献１】特開２００２‐２１９２２５号公報  （図４）
【特許文献２】特開２００３−９３７１１号公報  （図１）
【発明の開示】
【発明が解決しようとする課題】
【０００５】
本発明は上記した従来の問題点を解決し、従来にない変化に富んだ機構で、特に大当りの権利の保留ラウンド数を変動表示することのできる新規なパチンコ機の図柄表示装置を提供するためになされたものである。
【課題を解決するための手段】
【０００６】
上記の課題を解決するためになされた本発明のパチンコ機の図柄表示装置は、先端面に複数の図柄が描かれ且つ外周面にカム曲線が形成された円筒カムと、この円筒カムがプランジャの先端に装着されたソレノイドと、前記カム曲線に係合する接触子とからなり、プランジャをソレノイドに対して吸引、突出させて円筒カムを前後に移動することにより、接触子の抵抗により円筒カムをカム曲線に従って回転させて、図柄を変動表示するようにしたことを特徴とするものである。
【０００７】
なお、円筒カムに形成されたカム曲線を複数の山部と谷部とからなるものとし、任意の谷部に接触子を停止させて表示図柄を選択できるようにすることができ、また、図柄を数字により描いて大当たりの保留ラウンド数を表示するようにすることができる。
【発明の効果】
【０００８】
本発明の図柄表示装置は、先端面に複数の図柄が描かれ且つ外周面にカム曲線が形成された円筒カムと、この円筒カムがプランジャの先端に装着されたソレノイドと、前記カム曲線に係合する接触子とからなるものとしたので、プランジャをソレノイドに対して吸引、突出させて円筒カムを前後に移動することにより、接触子の抵抗により円筒カムをカム曲線に従って回転させて、図柄を変動表示することができる。カム曲線を複数の山部と谷部とからなるものとし、任意の谷部に接触子を停止させることにより図柄を選択して表示することができる。また、図柄を数字により描くことにより大当たりの保留ラウンド数を表示することができる。
【０００９】
したがって、本発明は、従来にない変化に富んだ機構で、特に大当りの権利の保留ラウンド数を変動表示することのできるという大きな利点を有する。
【発明を実施するための最良の形態】
【００１０】
以下に図面を参照しつつ本発明の好ましい実施形態を説明する。
【００１１】
図１はパチンコ遊技機の遊技盤を示す正面図であって、環状のガイドレール１０により取り囲まれた遊技領域１１内に、可変表示装置１、図柄始動入賞口２、特定入賞口３、及び第３種始動入賞口４と大入賞口５とが一体に形成された大入賞装置８などの遊技部品が配設されている。さらに、可変表示装置１の上側には、本発明に係る図柄表示装置を用いた表示窓１２が設けられている。
【００１２】
大入賞装置８は、図２に示すような構造のものであって、第３種始動入賞口４は、中央に玉の通過孔４１が形成された開閉部材４２がモーター４３によって前後に往復移動されることによって開閉される。大入賞口５は角型筒状体５１の一側に設けられていて、その左方に連設された２枚の回動翼片５２が横に回動されることによって大入賞口５に至る玉の流路が形成されて、玉は大入賞口５に入賞することができる。
【００１３】
上記したパチンコ遊技機は権利物タイプのものであって、既記したように図柄始動入賞口２に玉が入賞すると可変表示装置１の表示状態が変動開始されるとともに、一定時間後に停止され、停止した可変表示装置１の表示結果が予め設定された状態に揃うと特定入賞口３が開放される。そして、特定入賞口３に玉が入賞することにより大当たりの権利が発生する。この権利発生時において第３種始動入賞口４に玉が入賞すると大当たりが確定して大入賞口５は開放されて所定時間又は所定の個数の玉を受入れることができる。大当たり確定状態の期間中に始動入賞口４に玉が入賞した場合には次ラウンドの大当たりを獲得することができる。始動入賞口４への入賞によって大入賞口５が開放されることを一回として、最大１６回まで遊技を繰り返して行うことができる。
【００１４】
大当たり確定状態の期間中に獲得された大当りの保留ラウンド数は、可変表示装置１の上方に配した表示窓１２に表示される。
【００１５】
以下に本発明の図柄表示装置について詳細に説明する。
【００１６】
図３は本発明の図柄表示装置を示す平面図であって、２１は円筒カムであり、その先端面２２には複数の図柄が描かれ且つ外周面を周回してカム曲線２３が形成されている。この円筒カム２１はソレノイド３１のプランジャ３２の先端に装着されており、バネ３３により前方（図では左方）に付勢されている。又、７１は前記カム曲線２３に係合する接触子である。接触子７１は支持枠７２の側面内側に突設されており、又ソレノイド３１は支持枠７２により保持されている。
【００１７】
円筒カム２１は、図４に示すように、上端外縁が略チューリップ形状に形成された下側部材２５と、下端外縁がチューリップに対応する形状の山谷に形成された上側部材２４とにより構成されており、下側部材２５の中心孔２５ａにプランジャ３２が差し込まれたうえに、下側部材２５に上側部材２４が嵌合されて円筒カム２１がプランジャ３２の先端に取付けられている。なお、上側部材２４の先端面２２は幾つかのセクションに分割されて図柄が描かれる表示面２６が形成されている。
【００１８】
なお、カム曲線２３は、下側部材２５の上端外周縁に形成されたチューリップ状の山谷と、上側部材２４の下端外周縁に形成されたチューリップ状の山谷とが対向されてカム溝２９として形成されている。そして、このカム溝２９は、図５に示すようにカム溝２９の対向する山部２７及び谷部２８の位置は上又は下に相対的にずらしてある。図では上側部材２４の山部２７は下側部材２５の山部２７より下に、上側部材７４の谷部２８は下側部材７５の谷部２８より上にずらしてあるので、接触子７１は図中を上から下に進行する。接触子７１は固定されたものであるので、プランジャ８１の吸引、突出により円筒カム７は進出と後退を繰り返しながら下から上の方向に一方向に回転されることになる。従って、表示面２６に描かれた図柄の位置を回転により変動させることができる。なお、カム溝２９は正逆回転可能なものとしても何ら差し支えはない。又、カム曲線２３としてリブカムを用いることもできる。
【００１９】
上記のようにカム曲線２３を複数の山部２７と谷部２８とからなるものとし、これらの形状に対応させて表示面２６に１〜１６などの数字を図柄表示することにより、円筒カム２１を回転させたのちに適宜の谷部２８に接触子７１を停止させれば、保留ラウンド数に応じた表示図柄を選択して表示することができる。図６には、先端面２２が６つの表示面２６に分割され、その表示面２６に１〜６までの数字が描かれた図柄表示装置を示した。表示窓１２からは数字４が視認される。
【００２０】
なお、図５に示したカム曲線２３においては谷部２８ａを他の谷部２８より最も深く形成してあるので、プランジャ８１が吸引されて接触子７１がこの谷部２８ａに来た時には、円筒カム２１は最も突出することとなる。従って、図柄の表示状態に奥行きのある変化を付けることができる。又、本発明の図柄表示装置は、保留ラウンド数の表示用のみに限定されるものでなく、数字以外の図柄を描いて遊技盤の装飾用に用いてもよいことは言うまでもない。
【図面の簡単な説明】
【００２１】
【図１】本発明の図柄表示装置を備えた遊技盤の正面図である。
【図２】大入賞装置の斜視図である。
【図３】本発明の図柄表示装置の要部平面図である。
【図４】本発明の図柄表示装置の要部を示す分解斜視図である。
【図５】カム曲線の展開図である。
【図６】本発明の図柄表示装置の先端面を示す正面図である。
【図７】従来の図柄表示装置を備えた遊技盤の正面図である。
【符号の説明】
【００２２】
２１  円筒カム
２２  円筒カムの先端面
２３  カム曲線
３１  ソレノイド
３２  プランジャ
７１  接触子
【図１】
2005021634.tif 000003
【図２】
2005021634.tif 000004
【図３】
2005021634.tif 000005
【図４】
2005021634.tif 000006
【図５】
2005021634.tif 000007
【図６】
2005021634.tif 000008
【図７】
2005021634.tif 000009